(57)【要約】【課題】オンスクリーン表示については画質調整を行わないことにより、オンスクリーン表示が見にくくなることを防止して、操作性を向上させる。【解決手段】オンスクリーン生成部２１は、オンスクリーン信号を生成すると共に、映像信号中のオンスクリーン信号の重畳期間を示すオンスクリーンフラグを生成する。合成部１２は放送信号に基づく画像とオンスクリーン表示とを合成し、合成画像を出力する。この合成画像はスケーリング部１６において、モニタ３の表示領域に合わせてスケーリングされる。一方、オンスクリーンフラグについても、フラグスケーリング部１８において、合成画像に対するスケーリング処理と同様にスケーリングされる。これにより、オンスクリーンフラグは、合成画像上のオンスクリーン表示の表示期間に対応する。このオンスクリーンフラグを用いて画質調整のオン，オフを制御することで、オンスクリーン表示については画質調整を行わないようにすることができる。こうして、オンスクリーン表示が見にくくなることを防止して、操作性を向上させる。【選択図】      図１
2005217971.tif 000002
【特許請求の範囲】
【請求項１】
入力映像信号に基づく画像にオンスクリーン表示を重ねて表示するためのオンスクリーン信号を生成すると共に、前記画像上における前記オンスクリーン表示の位置を示すオンスクリーンフラグを生成するオンスクリーン生成手段と、
前記入力映像信号に基づく画像に前記オンスクリーン表示を合成して合成画像を得る合成手段と、
前記合成画像を固定画素の表示手段の表示領域に合わせてスケーリング処理する第１のスケーリング手段と、
前記第１のスケーリング手段によるスケーリング処理に応じて前記オンスクリーンフラグをスケーリングする第２のスケーリング手段と、
前記第２のスケーリング手段からのスケーリング処理後のオンスクリーンフラグが非アクティブの期間にのみ前記合成画像の画質調整を行い、前記スケーリング処理後のオンスクリーンフラグがアクティブの期間には前記合成画像の画質調整を行わない画質調整手段とを具備したことを特徴とする映像信号処理装置。
【請求項２】
前記オンスクリーン生成手段は、操作入力に応じたオンスクリーン表示を行うためのオンスクリーン信号を生成することを特徴とする請求項１に記載の映像信号処理装置。
【請求項３】
前記オンスクリーン生成手段が生成する前記オンスクリーンフラグは、前記画像上における前記オンスクリーン表示の位置を前記オンスクリーン信号の各ラインにおける重畳期間を示す１ビットのフラグであることを特徴とする請求項１に記載の映像信号処理装置。
【請求項４】
前記第２のスケーリング手段は、前記第１のスケーリング手段による間引き又は補間処理に応じて削除又は追加された画素に応じて、オンスクリーンフラグの削除又は追加を行うと共に、アクティブ期間を変更することを特徴とする請求項３に記載の映像信号処理装置。
【請求項５】
前記第１のスケーリング手段の前段において、前記合成画像の映像信号のフォーマットを前記表示手段の表示形式に応じて変換する映像フォーマット変換手段を更に具備したことを特徴とする請求項１に記載の映像信号処理装置。
【請求項６】
前記入力映像信号は、ディジタル放送信号をデコードして得たものであり、
前記オンスクリーン生成手段は、前記ディジタル放送信号に含まれるデータ放送に基づくオンスクリーン表示を行うためのオンスクリーン信号を生成することを特徴とする請求項１に記載の映像信号処理装置。
【請求項７】
前記オンスクリーン生成手段は、
入力映像信号に基づく画像にオンスクリーン表示を重ねて表示するためのオンスクリーン情報を生成すると共に、前記画像上における前記オンスクリーン表示の位置を示すオンスクリーンフラグを生成するオンスクリーン情報発生手段と、
前記オンスクリーン情報を記憶する記憶手段と、
前記記憶手段からのオンスクリーン情報に基づいてオンスクリーン信号を生成するオンスクリーン変換手段とを具備したことを特徴とする請求項１に記載の映像信号処理装置。
【請求項８】
前記画質調整手段は、前記第２のスケーリング手段からのスケーリング処理後のオンスクリーンフラグがアクティブの期間には、オンスクリーン表示用の調整値を用いて前記合成画像の画質調整を行うことを特徴とする請求項１に記載の映像信号処理装置。
【請求項９】
入力映像信号に基づく画像にオンスクリーン表示を重ねて表示するためのオンスクリーン信号を生成すると共に、前記画像上における前記オンスクリーン表示の位置を示すオンスクリーンフラグを生成する手順と、
前記入力映像信号に基づく画像に前記オンスクリーン表示を合成して合成画像を得る手順と、
前記合成画像を固定画素の表示手段の表示領域に合わせてスケーリング処理する手順と、
前記合成画像に対するスケーリング処理に応じて前記オンスクリーンフラグをスケーリングする手順と、
スケーリング処理後の前記オンスクリーンフラグが非アクティブの期間にのみ前記合成画像の画質調整を行い、前記スケーリング処理後のオンスクリーンフラグがアクティブの期間には前記合成画像の画質調整を行わない画質調整手順とを具備したことを特徴とする映像信号処理方法。
【発明の詳細な説明】
【技術分野】
【０００１】
本発明は、液晶ディスプレイやプラズマディスプレイ等のフラットパネルにオンスクリーン表示を行うテレビジョン受像機等に好適な映像信号処理装置及び映像信号処理方法に関する。
【背景技術】
【０００２】
従来、ディスプレイ装置においては、オンスクリーンディスプレイ回路（以下、ＯＳＤ回路という）が採用されている。ＯＳＤ回路によって、映像信号に、文字、図形、或いはメニュー画面等のオンスクリーン信号を重畳することで、表示画面上に、入力映像信号に基づく画像とオンスクリーン信号に基づくオンスクリーン画像とを重ねて表示可能である。
【０００３】
図９はこのようなオンスクリーン重畳機能を有するテレビジョン受像機を示すブロック図である。図９のテレビジョン受像機は、特許文献１にて開示されたものである。
【０００４】
図９において、テレビジョン受像機は、ディジタルチューナー９２とディスプレイ装置９３とで構成されており、ディジタルチューナ９２とディスプレイ装置９３との間は、Ｄ端子によって接続されている。データ放送の受信時、又はユーザの入力操作により、ＣＰＵ１０７及びデータ処理部１１１において文字、図形等のオンスクリーン(グラフィックス)信号が生成される。このオンスクリーン信号は、ＭＰＥＧデコーダ部１０６、変換部１０８を経由した映像信号と、合成部１１０において合成される。
【０００５】
映像信号とオンスクリーン信号とを合成して得られる映像信号（以下、合成映像信号という）は、ディスプレイ装置９３の倍速変換部１１５でフォーマット変換され、変換部１１６でスケーリングされる。その後調整部１１７で画質調整が行われ、ディスプレイ１１８において表示される。
【０００６】
ところで、近年、ディスプレイ装置として、液晶パネルやプラズマディスプレイパネル等のフラットパネルが採用されるようになってきた。フラットパネルにおいては、各画素毎に対応する映像信号を供給することで画像表示を行っている。従って、入力映像信号の画素数やアスペクト比が表示画面の画素数やアスペクト比と異なる場合には、入力映像信号に対する補間処理等によって、映像信号の画素数及びアスペクト比をフラットパネルと一致させるスケーリング処理が必要である。
【０００７】
この場合には、図９に示すように、スケーリング処理及び画質調整処理前に画像の合成処理を行うことになる。
【０００８】
しかしながら、画質調整を行う映像信号には、オンスクリーン信号が重畳されており、画質調整によってオンスクリーン表示の画質も調整されてしまう。このため、例えばユーザが画質調整を行うために表示したオンスクリーン表示も画質調整されてしまい、操作性に支障を来すことがある。例えば、画質調整によって画面の明るさを一番暗く調整した場合には、この調整のためのオンスクリーン表示自体が暗くなってしまい、調整作業が困難になったり、調整作業を終了させることができなくなったりすることがある。
【０００９】
なお、ディスプレイ装置として、ＣＲＴを採用した場合には、偏向系を制御することで、画質調整後においてもスケーリング処理が可能であり、映像信号に対する画質調整後にオンスクリーン表示を重畳することで、オンスクリーン表示が見にくくなることを防止することができる。
【特許文献１】特開２００３−９０９４号公報
【特許文献２】特開平１０−７９８９９号公報
【発明の開示】
【発明が解決しようとする課題】
【００１０】
このように、従来、フラットパネルを採用したテレビジョン受像機においては、入力映像信号とオンスクリーン信号とを合成して得た合成映像信号に対してスケーリング処理を行い、ディスプレイに表示する直前に画質調整を行う必要があり、オンスクリーン画像についても画質調整されて、操作性が悪化することがあるという問題点があった。
【００１１】
なお、特許文献２においては、映像信号とオンスクリーン表示信号との合成を画像調整の前段で行うような場合にも、オンスクリーン表示信号を調整することで、オンスクリーン表示を明瞭に視認させるようにした装置が開示されている。しかし、特許文献２の装置においても、画質調整の影響を完全に除去したオンスクリーン表示を可能にすることはできず、画質調整後の操作性が悪化する。
【００１２】
本発明はかかる問題点に鑑みてなされたものであって、オンスクリーン信号生成と同時にオンスクーン信号の位置を示すフラグ信号を生成し、このフラグ信号に基づいて画質調整の調整期間を制御することで、画質調整の影響を受けないオンスクリーン表示を可能にして操作性を向上させることができる映像信号処理装置及び映像信号処理方法を提供することを目的とする。
【課題を解決するための手段】
【００１３】
本発明に係る映像信号処理装置は、入力映像信号に基づく画像にオンスクリーン表示を重ねて表示するためのオンスクリーン信号を生成すると共に、前記画像上における前記オンスクリーン表示の位置を示すオンスクリーンフラグを生成するオンスクリーン生成手段と、前記入力映像信号に基づく画像に前記オンスクリーン表示を合成して合成画像を得る合成手段と、前記合成画像を固定画素の表示手段の表示領域に合わせてスケーリング処理する第１のスケーリング手段と、前記第１のスケーリング手段によるスケーリング処理に応じて前記オンスクリーンフラグをスケーリングする第２のスケーリング手段と、前記第２のスケーリング手段からのスケーリング処理後のオンスクリーンフラグが非アクティブの期間にのみ前記合成画像の画質調整を行い、前記スケーリング処理後のオンスクリーンフラグがアクティブの期間には前記合成画像の画質調整を行わない画質調整手段とを具備したものである。
【００１４】
本発明において、オンスクリーン生成手段は、入力映像信号に基づく画像にオンスクリーン表示を重ねて表示するためのオンスクリーン信号を生成する。また、オンスクリーン生成手段は、画像上におけるオンスクリーン表示の位置を示すオンスクリーンフラグを生成する。合成手段は、入力映像信号に基づく画像にオンスクリーン表示を合成して合成画像を得る。この合成画像は、第１のスケーリング手段によって、表示手段の表示領域に合わせてスケーリング処理される。一方、第２のスケーリング手段は、オンスクリーンフラグについても、第１のスケーリング手段によるスケーリング処理に応じたスケーリング処理を施す。これにより、スケーリング処理後のオンスクリーンフラグは、スケーリングされた合成画像中のオンスクリーン表示の表示期間に対応したものとなる。画質調整手段は、スケーリング処理後のオンスクリーンフラグが非アクティブの期間にのみ合成画像の画質調整を行い、スケーリング処理後のオンスクリーンフラグがアクティブの期間には合成画像の画質調整を行わない。
【発明の効果】
【００１５】
本発明によれば、オンスクリーン信号生成と同時にオンスクーン信号の位置を示すフラグ信号を生成し、このフラグ信号に基づいて画質調整の調整期間を制御することで、画質調整の影響を受けないオンスクリーン表示を可能にして操作性を向上させることができるという効果を有する。
【発明を実施するための最良の形態】
【００１６】
以下、図面を参照して本発明の実施の形態について詳細に説明する。図１は本発明の第１の実施の形態に係る映像信号処理装置を示すブロック図である。
【００１７】
本実施の形態はアナログテレビジョン受像機に適用した例を示している。本実施の形態におけるアナログテレビジョン受像機は、図１に示すように、アナログ放送受信部１、スケーラ部２、モニタ３及びアンテナ４によって構成される。図３は装置の外観を示しており、モニタ３は、ＣＲＴではなく液晶ディスプレイやプラズマディスプレイパネル等の固定画素のフラットパネルである。
【００１８】
アンテナ４を介して受信した放送信号は、アナログ放送受信部１の受信部５に供給される。受信部５は入力された放送信号を選局して復調し、ベースバンドの映像信号をデコード部２０に出力する。デコード部２０は入力された映像信号をＲＧＢ映像信号に変換して合成部１２に出力する。
【００１９】
一方、入力部１９は図示しないリモコン装置及び本体キー等のユーザ操作に基づく操作信号をオンスクリーン生成部２１及びスケーラ部２内の画質調整部１７に出力する。オンスクリーン生成部２１は、操作信号に基づくオンスクリーン信号を合成部１２に出力するようになっている。
【００２０】
例えば、オンスクリーン生成部２１は、図示しないキャラクタメモリを有しており、キャラクタメモリから操作信号に基づく表示を行うためのＲ，Ｇ，Ｂ信号を読出して、放送信号に基づく画像上の所定の位置に表示させるように、デコード部２０からのＲＧＢ映像信号に同期させて出力するようになっている。なお、この場合には、オンスクリーン生成部２１は、オンスクリーン信号の重畳量を指定するための合成比率αの情報も出力する。例えば、オンスクリーン生成部２１は、各８ビットで計３２ビットのα，Ｒ，Ｇ，Ｂ信号を出力する。
【００２１】
合成部１２は、デコード部２０からのＲ，Ｇ，Ｂ信号とオンスクリーン生成部２１からのＲ，Ｇ，Ｂ信号とを合成比率αに応じて合成する。こうして、合成部１２からは、放送信号に基づく画像上に、ユーザ操作に基づくオンスクリーン画像が合成比率αで重畳された合成画像が出力される。この合成画像は映像フォーマット変換部１１に供給される。
【００２２】
映像フォーマット変換部１１は、モニタ３の表示方式に合わせて、合成部１２からのインターレース信号をプログレッシブ信号に変換する。例えば、モニタ３がプログレッシブ入力の液晶ディスプレイで、且つ、受信信号がＮＴＳＣ方式の放送信号である場合には、有効ライン数４８０本のインターレース信号（以下、４８０ｉという）を有効ライン数４８０本のプログレッシブ信号（以下、４８０ｐという）に変換して出力するようになっている。映像フォーマット変換部１１からの合成信号は、スケーラ部２内のスケーリング部１６に供給されるようになっている。
【００２３】
また、本実施の形態においては、オンスクリーン生成部２１は、オンスクリーン信号の重畳期間を示す１ビットのオンスクリーンフラグを発生するようになっている。オンスクリーンフラグは、デコード部２０からの映像信号の各水平期間上のいずれの期間にオンスクリーン信号を重畳するかを、各ライン毎に例えばハイレベルのパルス期間によって示すものである。オンスクリーン生成部２１からのオンスクリーン信号はスケーラ部２内のフラグスケーリング部１８に供給されるようになっている。
【００２４】
第１のスケーリング手段を構成するスケーリング部１６は、アナログ放送受信部１からの合成画像の縦横サイズを、固定画素のフラットパネルであるモニタ３の表示画面の縦横サイズに一致させるために、スケーリング処理を実施する。スケーリングの方法としては種々の方式があり、例えば、水平及び垂直方向のサイズを線形に変化させる方法がある。この方法を用いる場合には、モニタ３の表示画面が例えばＸＧＡ（１０２４×７６８）画素で構成されているものとすると、合成画像の４８０ｐは７２０×４８０画素であるので、スケーリング部１６は、補間処理等によって、合成画像を横約１．４倍、縦１．６倍に拡大する。スケーリング部１６によってスケーリング処理された合成画像は画質調整部１７に与えられる。
【００２５】
本実施の形態においては、第２のスケーリング手段を構成するフラグスケーリング部１８は、スケーリング部１６のスケーリング処理と同様に、オンスクリーンフラグに対してスケーリング処理を実施するようになっている。フラグスケーリング部１８は、スケーリング部１６の垂直方向のスケーリング処理によって補間された走査線に対応して、新たなオンスクリーンフラグを生成する。また、フラグスケーリング部１８は、スケーリング部１６の水平方向のスケーリング処理によって補間されたオンスクリーン表示部分についてオンスクリーンフラグのパルス期間を対応させて変化させるようになっている。これにより、フラグスケーリング部１８からのオンスクリーンフラグは、スケーリング処理後における合成画像の映像信号中のオンスクリーン信号の重畳期間を示すものとなる。フラグスケーリング部１８からのオンスクリーンフラグは画質調整部１７に出力される。
【００２６】
画質調整部１７は、スケーリング部１６からの合成画像に対して、入力部１９からの操作信号に基づく画質調整処理を施してモニタ３に出力する。画質調整部１７は、例えば、合成画像に対する所定の演算処理によって画質を調整する。本実施の形態においては、画質調整部１７は、フラグスケーリング部１８からのオンスクリーンフラグによってオンスクリーン表示の重畳期間が示された場合（オンスクリーンフラグがアクティブの場合）には、画質調整処理を実施しないようになっている。
【００２７】
モニタ３はスケーラ部２からの合成画像を表示画面上に表示する。
【００２８】
次に、このように構成された実施の形態の動作について図２の図表を参照して説明する。図２はスケーリング処理前後の合成画像とスケーリングフラグとの対応を示している。
【００２９】
アンテナ４は、４８０ｉのＮＴＳＣ方式の映像信号を受信するものとし、モニタ３はプログレッシブ入力の液晶ディスプレイで、１０２４×７６８画素の表示領域を有するものとする。
【００３０】
アンテナ４を介して受信された放送信号は、受信部５において選局・復調され、デコード部２０においてＲＧＢ映像信号信号に変換される。デコード部２０からの映像信号は、合成部１２を介して映像フォーマット変換部１１に与えられる。オンスクリーン表示を行わない場合には、合成部１２は入力された映像信号をそのまま出力する。この映像信号は、表示するモニタ３の表示方式に合わせるように、映像フォーマット変換部１１においてインターレース／プログレッシブ変換（ＩＰ変換）される。即ち、４８０ｉの映像信号は４８０ｐの映像信号に変換される。
【００３１】
ここで、例えば、ユーザが音量変更や画質調整等を行うために、リモコンや本体キーによって入力操作を行うものとする。入力部１９はユーザ操作に基づく操作信号をオンスクリーン生成部２１に出力する。オンスクリーン生成部２１は、操作信号に基づいて、各種メニュー画面、チャンネル表示等の文字や図形等のオンスクリーン表示を表示させるためのオンスクリーン信号を生成する。例えば、オンスクリーン生成部２１は、各８ビットのＲＧＢ信号及び８ビットの合成比率αの情報の合計３２ビットのオンスクリーン信号を生成して合成部１２に出力する。
【００３２】
また、オンスクリーン生成部２１は、映像信号の各走査期間のいずれのタイミングでオンスクリーン表示を行うかを各ライン毎に示す１ビットのオンスクリーンフラグを生成する。このオンスクリーンフラグはスケーラ部２のフラグスケーリング部１８に出力される。
【００３３】
合成部１２は、映像信号に合成比率αでオンスクリーン信号を重畳して、合成画像の映像信号を映像フォーマット変換部１１に出力する。この場合には、映像フォーマット変換部１１はオンスクリーン表示を含む合成画像の映像信号を４８０ｐに変換して出力する。
【００３４】
アナログ放送受信部１からの映像信号はスケーラ部２のスケーリング部１６に供給される。スケーリング部１６は入力された映像信号を、モニタ３の表示画面の縦横サイズに合わせてスケーリングする。図２は、画面の欄において、スケーリング処理前後の合成画像を示している。図２の例は７２０×４８０画素の４８０ｐの合成画像を１０２４×７６８のＸＧＡ規格の合成画像に変換する例を示している。スケーリング処理によって、４８０ｐの合成画像は水平方向に画素数が約１．４倍増え、垂直方向にライン数が１．６倍増える。
【００３５】
図２の抽出データの欄は、画面の欄の各抽出ラインにおいてオンスクリーン信号を抽出したものである。スケーリング処理前の抽出ライン数は５本である。スケーリング処理後においてもスケーリング処理前と同一ライン間隔で抽出ラインを設定すると、垂直方向には１．６倍に拡大されているので、スケーリング処理後の抽出ライン数は８本となる。オンスクリーン信号はＲ，Ｇ，Ｂ各８ビットの計２４ビットで構成されており、図２では抽出ライン中のオンスクリーン信号の重畳期間を各抽出ライン毎に塗り潰しによって示している。
【００３６】
一方、フラグスケーリング部１８は、オンスクリーン生成部２１からオンスクリーンフラグが与えられている。このオンスクリーンフラグは、上述したように、スケーリング前の合成画像中のオンスクリーン表示の表示位置を示すものである。フラグスケーリング部１８は、スケーリング部１６のスケーリング処理に同期させて、オンスクリーンフラグのスケーリングを行う。図２のオンスクリーンフラグの欄は、スケーリング処理前後の抽出ラインにおけるオンスクリーンフラグの変化を示すものである。
【００３７】
フラグスケーリング部１８は、図２のオンスクリーンフラグの欄に示すように、垂直方向の補間処理に応じて対応するオンスクリーンフラグを追加する。また、水平方向の補間処理に応じて増加したオンスクリーン表示の画素に対応して、オンスクリーンフラグのハイレベル期間（アクティブ期間）を長くする。こうして、スケーリング処理後のオンスクリーンフラグは、スケーリング処理後の合成画像上のオンスクリーン表示の重畳期間を各ライン毎に示すものとなる。
【００３８】
なお、スケーリング処理前後において、オンスクリーンフラグのビット数に変化はなく、１ビット処理によってフラグのスケーリングが可能であり、フラグスケーリング部１８の回路規模は小さくてよい。
【００３９】
画質調整部１７は、入力部１９からの操作信号に基づいて、スケーリング部１６からの合成画像の映像信号に対して画質調整を行う。この場合には、画質調整部１７は、フラグスケーリング部１８からのスケーリング後のオンスクリーンフラグがアクティブの期間には、画質調整を行わない。なお、画質調整部１７の画質調整としては、コントラスト、明るさ、色の濃さ、色合い、画質（周波数特性）等の種類がある。
【００４０】
これにより、画質調整部１７からは、オンスクリーン表示部分を除く画像のみに画質調整が行われた合成画像の映像信号が出力される。この映像信号はモニタ３に供給されて表示画面上に映出される。ユーザが画質調整のための操作を行った場合でも、オンスクリーン表示部分は画質調整の影響を受けず、標準画質で表示されることから、調整値等のオンスクリーン表示が見やすく、高い操作性を確保することができる。
【００４１】
このように本実施の形態においては、画質調整処理の前段においてオンスクリーン表示が重畳された合成画像の映像信号をスケーリング処理する場合であっても、オンスクリーン表示の重畳期間を示すオンスクリーンフラグを生成し、映像信号のスケーリング処理に合わせてオンスクリーンフラグをスケーリングすることで、合成画像の映像信号中のオンスクリーン信号の重畳期間をスケーリング後のオンスクリーンフラグから認識可能にしている。このオンスクリーンフラグを用いることで、画質調整に際してオンスクリーン表示部分の画質調整を行わずに、オンスクリーン表示を標準画質で表示させることができる。これにより、オンスクリーン表示が画質調整によって見にくくなってしまうことを防止して、高い操作性を確保することができる。
【００４２】
なお、スケーリング処理を画質調整前に行えばよく、放送信号等の映像信号とオンスクリーン信号との合成は画質調整後に行うことも可能である。即ち、この場合には、映像信号のスケーリングとオンスクリーン信号のスケーリングとを別々に実施し、スケーリング後の映像信号に対して画質調整を行い、画質調整後の映像信号とスケーリング後のオンスクリーン信号とを合成する方法を採用することができる。この場合においても、画質調整の影響を受けないオンスクリーン表示が可能である。しかし、この方法では、同一のスケーリング回路が２個必要になり、回路規模が増大する。これに対し、図１の実施の形態においては、１ビットのオンスクリーンフラグをスケーリングする回路を付加するのみであり、回路規模の増加は少なくてすむという利点がある。
【００４３】
図４は本発明の第２の実施の形態に係る映像信号処理装置を示すブロック図である。図４において図１と同一の構成要素には同一符号を付して説明を省略する。
【００４４】
本実施の形態はデジタル放送を受信するデジタルテレビジョン受像機に適用した例である。本実施の形態におけるデジタルテレビジョン受像機は、デジタル放送受信部１００、モニタ３及びアンテナ４によって構成される。
【００４５】
デジタル放送受信部１００のデマルチプレクサ部６は、受信部５によって選局・復調されて得られたトランスポートストリームが入力される。デマルチプレクサ部６は、トランスポートストリームに多重されている映像信号、音声信号、データ放送信号等を分離して、映像信号をＭＰＥＧデコード部７に出力し、データ放送信号をオンスクリーン情報発生手段としてのオンスクリーン生成部８に出力する。ＭＰＥＧデコード部７は、入力された映像信号をデコードして、ベースバンドの映像信号を得る。ＭＰＥＧデコード部７は、デコードして得た映像信号をメモリＩ／Ｆ部９を介してメモリ１０に記憶させるようになっている。
【００４６】
オンスクリーン生成部８は、オンスクリーン変換部１３と共に、図１のオンスクリーン生成部２１と同様の機能を有している。オンスクリーン生成部８及びオンスクリーン変換部１３は、入力部１９からの操作信号に基づくオンスクリーン信号を生成するだけでなく、トランスポートストリームに含まれるデータ放送信号に基づくオンスクリーン信号も生成する。図４の例では、オンスクリーン生成部８は、メモリ空間の節約のために、図示しないｉｎｄｅｘ方式を用いる。
【００４７】
図５はｉｎｄｅｘ方式で用いるカラールックアップテーブルを説明するための説明図である。
【００４８】
ｉｎｄｅｘ方式においては、各ｉｎｄｅｘ毎に使用可能な色が設定されている。図５は２５６階調のカラールックアップテーブルを示しており、各ｉｎｄｅｘ毎にＲ，Ｇ，Ｂ成分の割合が規定されている。また、各ｉｎｄｅｘの色と映像信号との混合比率αについても、各ｉｎｄｅｘ毎に設定されている。従って、図５のカラールックアップテーブルを用いた場合には、オンスクリーン生成部８は２５６階調のいずれかの色をいずれかの混合比率αでオンスクリーン表示することを８ビットのｉｎｄｅｘ信号によって示すことができる。オンスクリーン生成部８は、入力部１９からの操作信号及びデータ放送に基づくｉｎｄｅｘ信号をメモリＩ／Ｆ部９を介してメモリ１０に記憶させる。
【００４９】
また、オンスクリーン生成部８は、ｉｎｄｅｘ信号の生成と同時に、データ放送上のオンスクリーン表示の表示位置を示す１ビットのオンスクリーンフラグを生成して、メモリＩ／Ｆ部９を介してメモリ１０に記憶させるようになっている。
【００５０】
オンスクリーン変換部１３は、メモリＩ／Ｆ部９を介してメモリ１０にアクセスして、ｉｎｄｅｘ信号を読出し、読出したｉｎｄｅｘ信号に基づいてルックアップテーブルを参照し、放送信号に基づく映像信号に同期したオンスクリーン信号を得る。オンスクリーン変換部１３からのオンスクリーン信号は図１のオンスクリーン生成部８からのオンスクリーン信号に相当し、合成部１２に与えられるようになっている。なお、オンスクリーン変換部１３は、例えば、各８ビットで計３２ビットのα、Ｒ，Ｇ，Ｂ信号を出力する。
【００５１】
また、オンスクリーン変換部１３は、メモリ１０から読出したオンスクリーンフラグをフラグスケーリング部１８に出力する。オンスクリーン変換部１３からのオンスクリーンフラグは、データ放送上のオンスクリーン信号の重畳位置を示すものである。
【００５２】
なお、データ放送に対応可能であれば、オンスクリーン生成部８及びオンスクリーン変換部１３に代えて、図１のオンスクリーン生成部２１を採用してもよいことは明らかである。
【００５３】
本実施の形態においては、合成部１２の前段に映像フォーマット変換部１１を配置している。データ放送の映像フォーマットは、有効ライン数１０８０本のインターレース信号（１０８０ｉ）に規定されている。そこで、放送信号に基づく映像信号を１０８０ｉに変換した後、オンスクリーン信号と合成するのである。映像フォーマット変換部１１は、例えば、４８０ｉの映像信号を１０８０ｉに変換し、更に、各８ビットずつの計２４ビットのＲ，Ｇ，Ｂ信号に変換して合成部１２に出力する。
【００５４】
合成部１２は映像フォーマット変換部１１からのＲ，Ｇ，Ｂ映像信号に、オンスクリーン変換部１３からのオンスクリーン信号を混合比率αで合成し、合成画像の映像信号をスケーリング部１６に出力する。スケーリング部１６は、１０８０ｉの映像信号を有効ライン数１０８０本のプログレッシブ信号（１０８０ｐ）に変換した後、モニタ３の画素に合わせてスケーリング処理を実施する。
【００５５】
他の構成は図１と同様である。
【００５６】
次に、このように構成された実施の形態の動作について説明する。
【００５７】
アンテナ４を介して受信した放送信号は、受信部５において選局・復調され、トランスポートストリームとしてデマルチプレクサ部６に供給される。デマルチプレクサ部６は、トランスポートストリームから映像信号、音声信号、データ放送信号を分離し、映像信号をＭＰＥＧデコード部７に出力し、データ放送信号をオンスクリーン生成部８に出力する。ＭＰＥＧデコード部７は、入力されたＭＰＥＧ規格の符号化映像信号をデコードして、ベースバンドの映像信号を得る。この映像信号は、メモリＩ／Ｆ部９を介してメモリ１０に記憶される。
【００５８】
一方、オンスクリーン生成部８は、データ放送信号に基づくオンスクリーン表示のためのｉｎｄｅｘ信号を生成してメモリ１０に出力する。また、ユーザの音量変更や画質調整等の操作が行われた場合には、このユーザ操作に基づいて、入力部１９から操作信号がオンスクリーン生成部８に与えられる。オンスクリーン生成部８は、操作信号に基づくオンスクリーン表示のためのｉｎｄｅｘ信号を生成してメモリ１０に出力する。
【００５９】
本実施の形態においても、オンスクリーン生成部８は、ｉｎｄｅｘ信号の生成と同時に、オンスクリーン表示の表示位置を示す１ビットのオンスクリーンフラグを生成する。この場合のオンスクリーンフラグは、データ放送画面を基準として、オンスクリーン表示の表示位置に相当するタイミングでアクティブとなる信号である。
【００６０】
映像フォーマット変換部１１は、メモリ１０から映像信号を読出し、読出した映像信号をデータ放送画面に対応させるために１０８０ｉに変換する。更に、映像フォーマット変換部１１は１０８０ｉの映像信号を、Ｒ，Ｇ，Ｂ映像信号に変換して合成部１２に出力する。一方、オンスクリーン変換部１３は、メモリ１０からｉｎｄｅｘ信号を読出して、オンスクリーン表示を行うためのＲ，Ｇ，Ｂ信号及び混合比率αに変換する。オンスクリーン変換部１３からのオンスクリーン信号及び混合比率αの情報は合成部１２に与えられる。なお、メモリ１０からの映像信号の読出し及びｉｎｄｅｘ信号の読出しは、合成画像の作成のために、相互に同期したタイミングで行われる。
【００６１】
合成部１２はデータ放送画面に対応した映像信号及びオンスクリーン信号を混合比率αで合成して、合成画像のＲ，Ｇ，Ｂ映像信号をスケーリング部１６に出力する。また、オンスクリーン変換部１３は、オンスクリーン信号のデータ放送画面上の重畳期間を示すオンスクリーンフラグをフラグスケーリング部１８に出力する。
【００６２】
スケーリング部１６は、モニタ３の画面に合わせて合成画像をスケーリング処理する。いま、モニタ３の画面が１０２４×７６８画素のプログレッシブ方式の表示領域を有するものとする。この場合には、スケーリング部１６は、合成画像の１０８０ｉの映像信号を１０８０ｐに変換した後スケーリングを行う。即ち、スケーリング部１６は、１９２０×１０８０画素の１０８０ｐの映像信号を１０２４×７６８のプログレッシブ映像信号に変換する。従って、スケーリング部１６は、例えば、間引き処理によって、横約０．５倍、縦０．７倍に１０８０ｐの映像信号を縮小することになる。
【００６３】
一方、フラグスケーリング部１８は、オンスクリーン変換部１３からオンスクリーンフラグが与えられている。このオンスクリーンフラグは、上述したように、スケーリング前の合成画像中のオンスクリーン表示の表示位置を示すものである。フラグスケーリング部１８は、スケーリング部１６のスケーリング処理に同期させて、オンスクリーンフラグのスケーリングを行う。即ち、この場合には、フラグスケーリング部１８は、垂直方向の間引き処理に応じて対応するオンスクリーンフラグを削除する。また、水平方向の間引き処理に応じて減少したオンスクリーン表示の画素に対応して、オンスクリーンフラグのアクティブ期間を短くする。こうして、スケーリング処理後のオンスクリーンフラグは、スケーリング処理後の合成画像上のオンスクリーン表示の重畳期間を各ライン毎に示すものとなる。なお、本実施の形態においても、スケーリング処理前後においてオンスクリーンフラグのビット数に変化はなく、フラグスケーリング部１８の回路規模は小さくてよい。
【００６４】
画質調整部１７は、入力部１９からの操作信号に基づいて、オンスクリーンフラグがアクティブの期間以外の期間のみ、スケーリング部１６からの合成画像の映像信号に対して画質調整を行う。これにより、画質調整部１７からは、オンスクリーン表示部分を除く画像のみに画質調整が行われた合成画像の映像信号が出力されて、モニタ３の表示画面上に映出される。従って、ユーザが画質調整のための操作を行った場合でも、オンスクリーン表示部分は画質調整の影響を受けず、標準画質で表示されることから、高い操作性を確保することができる。
【００６５】
図６は本発明の第３の実施の形態を示すブロック図である。また、図７は第３の実施の形態の装置の外観を示す説明図である。図６において図４と同一の構成要素には同一符号を付して説明を省略する。
【００６６】
本実施の形態は第２の実施の形態におけるデジタル放送受信部１００に代えて、スケーラ部１０２が別体で構成されたデジタル放送受信部１０１を採用したものである。デジタル放送受信部１０１は図７ではセットトップボックス１０１として記載してある。デジタル放送受信部１０１は、図４のスケーリング部１６、フラグスケーリング部１８及び画質調整部１７を削除すると共に、Ｉ／Ｆ部１４を追加した構成である。
【００６７】
一方、図４のスケーリング部１６、フラグスケーリング部１８及び画質調整部１７は、スケーラ部１０２に内蔵されており、本実施の形態においては、このスケーラ部１０２がモニタ３’に内蔵された例を示している。モニタ３’は、図４のモニタ３がスケーラ部１０２を内蔵した構成と同一である。モニタ３’の表示画面２２は、液晶パネル等の固定画素の表示部によって構成されている。なお、図４においては表示画面２２は図示を省略している。スケーラ部１０２は、図４のスケーリング部１６、フラグスケーリング部１８及び画質調整部１７の外に、Ｉ／Ｆ部１５を有している。
【００６８】
デジタル放送受信部１０１のＩ／Ｆ部１４は合成部１２からの合成画像の映像信号を所定の伝送フォーマットに変換して出力する。スケーラ部１０２のＩ／Ｆ部１５は、図示しない伝送路を介してＩ／Ｆ部１４との間でデータの授受が可能であり、伝送信号をフォーマット変換して映像信号を取り出し、スケーリング部１６に出力する。
【００６９】
他の構成及び作用・効果は第２の実施の形態と同様である。
【００７０】
なお、スケーラ部１０２をモニタ３’に内蔵せずに別体で構成してもよいことは明らかである。
【００７１】
図８は本発明の第４の実施の形態を示すブロック図である。図８において図１と同一の構成要素には同一符号を付して説明を省略する。
【００７２】
本実施の形態は図１のスケーラ部２に代えて、調整値設定部２５及びメモリ２６を付加したスケーラ部２’を採用した点が第１の実施の形態と異なる。
【００７３】
本実施の形態はオンスクリーン表示に対して、放送信号に基づく映像とは異なる画質調整を施すことを可能にしたものである。メモリ２６には、オンスクリーン表示に対する画質調整のための各種調整値が格納されている。調整値設定部２５は、ユーザ操作に基づく操作信号によってオンスクリーン表示に対する画質調整値が指定されるか又はメモリ２６に格納された調整値を読出すことによって、オンスクリーン表示に対する調整値を画質調整部１７’に出力する。画質調整部１７’は、オンスクリーンフラグが非アクティブの場合には、オンスクリーン表示以外の部分に対して、ユーザ操作に基づく画質調整を行い、オンスクリーンフラグがアクティブの場合には、オンスクリーン表示部分に対して、調整値設定部２５の出力に基づく画質調整を行う。
【００７４】
このように構成された実施の形態においては、オンスクリーン表示専用の画質調整を行うことが可能である。これにより、オンスクリーン表示をより強調させて、ユーザの視認性を向上させることができ、また、ユーザの嗜好に対応したオンスクリーン表示が可能である。
【００７５】
なお、第４の実施の形態は第２及び第３の実施の形態にも同様に適用可能であることは明らかである。
【００７６】
また、上記各実施の形態においては、１ビットのオンスクリーンフラグを用いた例について説明した。これにより、上述したように、回路規模の増加を低減することができる。更に、本実施の形態においては、精度を向上させるために、複数ビットのオンスクリーンフラグを用いることも可能である。この場合には、オンスクリーン表示領域の境界においてスケーリングの誤差が生じることを防止することができる。この場合でも、、オンスクリーンフラグのビット数が比較的少なければ、オンスクリーン信号そのものをスケーリングする場合に比べて回路規模の増大を十分に抑制することができる。
【図面の簡単な説明】
【００７７】
【図１】本発明の第１の実施の形態に係る映像信号処理装置を示すブロック図。
【図２】第１の実施の形態の動作を説明するための図表。
【図３】第１の実施の形態における装置の外観を示す説明図。
【図４】本発明の第２の実施の形態に係る映像信号処理装置を示すブロック図。
【図５】ｉｎｄｅｘ方式のカラールックアップテーブルを説明するための説明図。
【図６】本発明の第３の実施の形態を示すブロック図。
【図７】第３の実施の形態の装置の外観を示す説明図。
【図８】本発明の第４の実施の形態を示すブロック図。
【図９】オンスクリーン重畳機能を有するテレビジョン受像機を示すブロック図。
【符号の説明】
【００７８】
１…アナログ放送受信部、２…スケーラ部、３…モニタ、１１…映像フォーマット変換部、１２…合成部、１６…スケーリング部、１７…画質調整部、１８…フラグスケーリング部、２１…オンスクリーン生成部。  
代理人      弁理士      伊  藤    進
【図１】
2005217971.tif 000003
【図２】
2005217971.tif 000004
【図３】
2005217971.tif 000005
【図４】
2005217971.tif 000006
【図５】
2005217971.tif 000007
【図６】
2005217971.tif 000008
【図７】
2005217971.tif 000009
【図８】
2005217971.tif 000010
【図９】
2005217971.tif 000011